(57)【要約】【目的】機構板の支軸側に打球発射装置が備えられ、支軸と他方側に球連通口と球払出口が備えられていても、球連通口と球払出口との位置がずれず、機構板を確実に閉塞できる遊技機を提供する。【構成】機構板１００の一方側に球払出口１６０を設け、機構板１００は、他方側を支点として開閉自在に軸支され、他方側に打球発射装置８７を、一方側に球連通口２０を設け、打球供給皿１９は、球連通口２０から排出される遊技球を受け入れると共に打球発射装置８７側に向けて下り傾斜して形成され、機構板１００を閉塞した際に球払出口１６０の先端を球連通口２０に入り込むように球連通口２０よりも小さく形成したことにより、機構板１００が左側方を支軸に開閉し、球連通口２０及び球払出口１６０が右側方に位置していても、機構板１００を前面枠４に対して閉塞する際、球払出口１６０の先端が球連通口２０に入り込み、機構板１００を確実に閉塞できる。【選択図】        図４
2004254722.tif 000002
【特許請求の範囲】
【請求項１】
外枠と、外枠の一側に開閉自在に支持され且つ遊技盤が装着される前面枠と、前記遊技盤の遊技領域に向けて遊技球を発射する打球発射装置と、入賞球の発生に基づいて所定個数の賞球を払い出すための球払出装置を備えた機構板と、前記球払出装置から払い出された賞球を受け入れて前記打球発射装置へ供給する打球供給皿と、を備えた遊技機において、
前記機構板の左右一方側に球払出装置から排出される遊技球を払い出す球払出口を設け、
前記機構板は、左右一方側に対する他方側を支点として前記前面枠に対し開閉自在に軸支され、
前記遊技機の正面視で前記前面枠の前記他方側に前記打球発射装置を、前記一方側に前記球払出口と連通する球連通口を設け、
前記打球供給皿は、前記球連通口から排出される遊技球を受け入れると共に前記打球発射装置側に向けて下り傾斜して形成され、
前記機構板を閉塞した際に前記球払出口の先端が前記球連通口に入り込むように前記球払出口の先端を前記球連通口よりも小さく形成したことを特徴とする遊技機。
【請求項２】
前記機構板を前記前面枠に対して閉塞した際、前記球払出口の下面が当接する前記球連通口の内面下部は、前記球払出口に向けて下り傾斜面が形成されていることを特徴とする請求項１記載の遊技機。
【請求項３】
前記球払出口は、先端が突出して形成されると共に、突出部分の下面が先端から根元に向けて下り傾斜面が形成されていることを特徴とする請求項１又は請求項２記載の遊技機。
【請求項４】
前記球払出口は、先端が突出して形成されると共に、突出部分の前記一方側方向の外面が先端から根元に向けて下り傾斜面が形成されていることを特徴とする請求項１乃至請求項４のいずれかに記載の遊技機。
【発明の詳細な説明】
【０００１】
【発明の属する技術分野】
本発明は、外枠と、外枠の一側に開閉自在に支持され且つ遊技盤が装着される前面枠と、前記遊技盤の遊技領域に向けて遊技球を発射する打球発射装置と、入賞球の発生に基づいて所定個数の賞球を払い出すための球払出装置を備えた機構板と、前記球払出装置から払い出された賞球を受け入れて前記打球発射装置へ供給する打球供給皿と、を備えた遊技機に関するものである。
【０００２】
【従来の技術】
弾球遊技機においては、遊技球を発射するための打球発射装置は、遊技機の正面視で右側方に備えられているが、打球発射装置から発射される遊技球が通過する通路の長さを短くするため、打球発射装置を遊技機の正面視で左側方に備え、遊技球を遊技領域の左下方から略垂直状に発射させるもの（例えば、特許文献１）が提案されている。
【０００３】
一方、遊技機の前面側を構成する前面枠は、通常、左側方を支軸として開閉するものであり、これに伴い、遊技機の裏面側に備えられ、賞球を払い出すための球払出装置を備えた機構板も左側方を支軸として開閉するようになっている。
【０００４】
【特許文献１】
特開２００２−３５２６４号公報（第４頁、図３）
【０００５】
【発明が解決しようとする課題】
上記したような、遊技機の左側方に打球発射装置が備えられているものの場合、打球発射装置に遊技球を供給するための球供給皿は、遊技機の右側方から左側方に亘って下り傾斜しており、このため、球払出装置等からの球供給皿への遊技球の供給は、球供給皿の右側方にされるものである。球供給皿の右側方には、球払出装置等から供給される遊技球を球供給皿に排出するための球連通口が前面枠に形成されているが、この球連通口は、機構板に備えられた球払出装置から払い出される遊技球を排出するための球払出口と連通するものである。
【０００６】
ここで、前述したように、機構板は、前面枠に対して開閉するものであるため、前面枠を開閉する度に、前面枠に形成された球連通口と機構板に備えられた球払出口とが連通したり分離されたりするものである。ところが、機構板は、前述したように、左側方を支軸に開放するものであるため、この支軸と遊技機の右側方に形成された球連通口及び球払出口とが離れて位置しているため、機構板を閉塞しようとした際に、球連通口と球払出口との位置がずれてしまい、機構板が確実に閉塞されないことがあるという欠点があった。本発明は、上記した事情に鑑みなされたもので、その目的とするところは、機構板の支軸側に打球発射装置が備えられ、支軸と他方側に球連通口と球払出口が備えられていても、前面枠に形成された球連通口と機構板に備えられた球払出口との位置がずれず、機構板を確実に閉塞することができる遊技機を提供することにある。
【０００７】
【課題を解決するための手段】
上記目的を達成するために、請求項１の発明においては、外枠と、外枠の一側に開閉自在に支持され且つ遊技盤が装着される前面枠と、前記遊技盤の遊技領域に向けて遊技球を発射する打球発射装置と、入賞球の発生に基づいて所定個数の賞球を払い出すための球払出装置を備えた機構板と、前記球払出装置から払い出された賞球を受け入れて前記打球発射装置へ供給する打球供給皿と、を備えた遊技機において、前記機構板の左右一方側に球払出装置から排出される遊技球を払い出す球払出口を設け、前記機構板は、左右一方側に対する他方側を支点として前記前面枠に対し開閉自在に軸支され、前記遊技機の正面視で前記前面枠の前記他方側に前記打球発射装置を、前記一方側に前記球払出口と連通する球連通口を設け、前記打球供給皿は、前記球連通口から排出される遊技球を受け入れると共に前記打球発射装置側に向けて下り傾斜して形成され、前記機構板を閉塞した際に前記球払出口の先端が前記球連通口に入り込むように前記球払出口の先端を前記球連通口よりも小さく形成したことを特徴とする。このように構成することにより、機構板の支軸側に打球発射装置が備えられ、支軸と他方側に球連通口と球払出口が備えられている遊技機であっても、機構板を前面枠に対して閉塞しようとした際に、球払出口の先端が球連通口に入り込むことにより、球払出口と球連通口とがずれることなく機構板と前面枠との位置が合うため、機構板を前面枠に対して確実に閉塞することができる。従って、機構板の支軸側の他方側に打球発射装置を備えることにより、機構板の支軸と球払出口及び球連通口とが離れてしまうような構造のものであっても、機構板を前面枠に対して確実に閉塞することができる。
【０００８】
また、請求項２の発明においては、前記機構板を前記前面枠に対して閉塞した際、前記球払出口の下面が当接する前記球連通口の内面下部は、前記球払出口に向けて下り傾斜面が形成されていることを特徴とする。このように構成することにより、機構板を前面枠に対して閉塞しようとした際に、球払出口の先端が球連通口に入り込み易くなり、球払出口と球連通口とがずれることなく機構板と前面枠との位置が合うため、機構板を確実に閉塞することができる。
【０００９】
また、請求項３の発明においては、前記球払出口は、先端が突出して形成されると共に、突出部分の下面が先端から根元に向けて下り傾斜面が形成されていることを特徴とする。このように構成することにより、機構板を前面枠に対して閉塞しようとした際に、球払出口の先端が球連通口に入り込み易くなり、球払出口と球連通口とがずれることなく機構板と前面枠との位置が合うため、機構板を確実に閉塞することができる。
【００１０】
更に、請求項４の発明においては、前記球払出口は、先端が突出して形成されると共に、突出部分の前記一方側方向の外面が先端から根元に向けて下り傾斜面が形成されていることを特徴とする。このように構成することにより、機構板を前面枠に対して閉塞しようとした際に、球払出口の先端が球連通口に入り込み易くなり、球払出口と球連通口とが左右方向においてもずれることなく機構板と前面枠との位置が合うため、機構板を確実に閉塞することができる。
【００１１】
【発明の実施の形態】
以下、図面を参照して、本発明の実施形態について説明する。まず、図１乃至図２を参照して実施形態に係る遊技機としての弾球遊技機１の全体の構成について説明する。弾球遊技機１は、図１及び図２に示すように、縦長な方形状に枠組み形成される外枠２と、該外枠２の一側に開閉自在に軸支され且つ弾球遊技機１の主要構成部のほぼすべてが集約して設けられる前面枠３と、該前面枠３の前面上部に位置し、開閉自在に設けられる透明板保持枠４とから構成されている。また、前面枠３に設けられる主要構成部としては、上記した透明板保持枠４、遊技盤４０、打球供給皿１９、操作ハンドル３０、機構板１００、打球発射装置８７がある。また、弾球遊技機１の側方には、遊技者に遊技球を貸し出すためのカードユニット装置３１（図３に符号のみ記載）が付設されることがある。
【００１２】
透明板保持枠４には、後述する遊技盤４０の遊技領域４１をほぼ透視し得る透視窓５が開設され、該透視窓５の裏面から複層ガラス板が装着されている。また、遊技盤４０の表面上部には、透視窓５の内周に沿って、遊技効果ランプとしての装飾ランプ６〜８，１５，１６（図３に符号のみ記載）が臨んでいる。この装飾ランプ６〜８，１５，１６は、遊技状態に応じて点灯又は点滅されるものであり、特別の遊技状態の発生時や継続時を遊技者に報知すると共に遊技の雰囲気を盛り上げるものである。また、遊技盤４０の表面には、払い出すべく賞球が不足したこと（後述する球切れスイッチ１１５が作動したとき）を報知する球切れランプ９（図３に符号のみ記載）や、入賞球の発生に基づいて所定個数の賞球が払い出されたことを報知する賞球ランプ１０（図３に符号のみ記載：賞球未払出分がある場合に報知する方式でもよい）が設けられ、更に、透明板保持枠４の上部左右に遊技の進行に応じた効果音を発生するスピーカ１２ａ，１２ｂが設けられている。なお、各ランプ６〜８，９，１０，１５，１６の前方は、それぞれ透光性を有する赤色、緑色等のランプカバーで被覆されるようになっている。特に、球切れランプ９の点灯を赤色発光で行い、賞球ランプ１０の点灯を緑色発光で行うことにより、遊技者に対して状況を報知するようになっている。
【００１３】
また、スピーカ１２ａ，１２ｂの近傍には、それぞれ光装飾用の遊技効果ＬＥＤとしての装飾ＬＥＤ３７，３８（図３に符号のみ記載）が取り付けられている。また、透視窓５の下方であって透明板保持枠４の開放側には、透明板保持枠４を前面枠３に対して施錠するためのシリンダー錠２６が臨んでいる。
【００１４】
次に、透明板保持枠４の下側に取り付けられる打球供給皿１９の構成について説明すると、打球供給皿１９は、複数の合成樹脂製部材を組合せた皿部材を固着することにより構成されている。この打球供給皿１９は、その上流側に形成される球連通口２０から排出される遊技球受け入れると共に、発射位置に遊技球を供給するように打球発射装置８７側に向けて下り傾斜して形成されるものである。また、打球供給皿１９には、弾球遊技機１に隣接して設けられるカードユニット装置（図示しない）を介して遊技球を借り受ける際に操作する操作部が設けられている。この操作部は、球貸スイッチ２４と返却スイッチ２５（共に図４に符号のみを記載）と表示ＬＥＤ（図示しない）が実装される残高表示基板２３（図４に符号のみを記載）からなり、該残高表示基板２３が打球供給皿１９の上面に臨むように設けられている。
【００１５】
また、打球供給皿１９の前面壁には、球抜き操作レバー２８がスライド可能に取り付けられるようになっている。この球抜き操作レバー２８を操作することにより、打球供給皿１９に貯留されていた賞球を下方に球抜きして持ち運び可能な球箱に移し替えることができる。なお、打球供給皿１９の下方にまた、打球供給皿１９の右側には、操作ハンドル３０が設けられている。操作ハンドル３０は、打球発射装置８７（図１参照）の打球発射装置電動機（ステッピングモータ：図示しない）の駆動を一時的に停止させるための単発発射スイッチ９１及び遊技者が操作ハンドル３０を触れていることを検知するタッチセンサ（図示しない）を内蔵していると共に、弾発力を調節する指掛け部３２（図１参照）を備えるものである。
【００１６】
一方、弾球遊技機１の背面には、図２に示すように、入賞球の発生に基づいて所定個数の賞球を払い出すための各種の機構を装備した機構板１００が設けられると共に、打球供給皿１９の下流側に対応する裏面には、打球発射装置電動機及び打球槌９３を有する打球発射装置８７が固着されている（図１参照）。打球発射装置８７は、打球供給皿１９から供給される遊技球を遊技領域４１に向けてほぼ垂直方向に打球槌９３によって打ち出すものである。なお、上記した構成のうち、操作ハンドル３０の裏面側には、発射制御基板９０が備えられており、この発射制御基板９０によって打球発射装置８７が駆動制御されるようになっている。
【００１７】
以上で、弾球遊技機１の全体の概略構成を説明したが、以下、弾球遊技機１を構成する要素のうち、遊技盤４０と、機構板１００の詳細な構成について順次説明する。
【００１８】
まず、主に図１を参照して遊技盤４０について説明する。遊技盤４０は、前面枠３の裏面側に収容固定されるべく、ほぼ正方形状の合板により形成され、その表面には、ほぼ半円形状に誘導レール４２が取り付けられ、該誘導レール４２の内側が遊技領域４１とされて発射された打球が落下するものである。遊技領域４１には、図示の場合、可変表示装置４４、特別可変入賞球装置４８、入賞口としての普通可変入賞球装置５８、通過球検出器６１ｂを内蔵する通過口６１ａ等が設けられると共に、単に打球を入賞とする入賞口、打球の流下方向，速度を変化せしめる風車又は多数の障害釘が設けられ、また、遊技領域４１の最下方には、いずれの入賞装置にも入賞しない打球が取り込まれるアウト口６９が設けられている。
【００１９】
遊技領域４１の構成をその遊技動作に従ってより詳細に説明すると、可変表示装置４４の下方に普通可変入賞球装置５８が設けられ、この普通可変入賞球装置５８の両側方には、それぞれ通過球検出器６１ｂを内蔵する通過口６１ａが設けられている。この通過球検出器６１ｂは、遊技領域４１を落下する打球の通過を検出すると、その検出信号に基づいて可変表示装置４４の中央上部に設けられる左右一対のＬＥＤからなる普通図柄表示器６３を可変表示（点灯移動）して表示結果を導出する（上下いずれか一方のＬＥＤのみを点灯表示する）。しかして、普通図柄表示器６３の表示結果が予め定められた当りＬＥＤの点灯（図示の場合は、左側のＬＥＤ）である場合に、普通可変入賞球装置５８が所定時間開放される。なお、普通図柄表示器６３の可変時間は、後述する非特別遊技状態のときに相対的に長く（例えば、３０秒）、後述する特別遊技状態のときに相対的に短く（例えば、３〜５秒）設定されている。また、普通図柄表示器６３の両側方には、普通図柄表示器６３の可変表示中に通過球検出器６１ｂを通過した打球数を記憶表示する普通図柄記憶表示ＬＥＤ６４（最高４個まで記憶表示する）が設けられている。
【００２０】
普通可変入賞球装置５８は、遊技領域４１のほぼ中央に配置される可変表示装置４４と遊技領域４１の前記アウト口６９の上部に配置される特別可変入賞球装置４８との間に配置され、ソレノイド５９によって開閉駆動される電動チューリップタイプの可変入賞球装置である。そして、普通可変入賞球装置５８には、始動球検出器６０が内蔵され、開放中又は閉成中に受け入れた入賞球を検出するようになっている。しかして、打球が始動球検出器６０によって検出されると可変表示装置４４が可変表示を開始する。なお、普通可変入賞球装置５８の開放時間は、非特別遊技状態のときに相対的に短く（例えば、０．５秒）、特別遊技状態のときに相対的に長く（例えば、２秒）設定されている。また、普通可変入賞球装置５８が開放していない場合でも打球を受け入れるようになっている。
【００２１】
可変表示装置４４は、図１に示すように、識別情報を可変表示する画像表示部１５２を有した液晶タイプの表示器であり、この画像表示部１５２は、縦横３列ずつ合計９つの可変表示部に識別情報を表示するものである。
【００２２】
上記した画像表示部１５２の前方外周には、横長形状の窓開口が開設された装飾部材１５３が設けられる。そして、可変表示装置４４の変動停止時における図柄（なお、本文中において、図柄と識別情報とは同義である）の組合せが予め定めた大当り図柄の組合せ（例えば、同一の図柄が当りラインのいずれかに揃った場合）である特定表示結果となった場合に、主基板１５１のＣＰＵによって特定遊技状態となり、特別可変入賞球装置４８を次に説明する所定の態様で開閉駆動するものである。ただし、特定表示結果の一部は、特別表示結果として設定され、この特別表示結果で特定遊技状態となったときには、その特定遊技状態終了後における前記普通図柄表示器６３における当り（当りＬＥＤの点灯）の出現確率や可変表示装置４４における大当り図柄の出現確率が高くなる遊技者に有利な特別遊技状態となるように設定されている。これに対し、特別表示結果以外の特定表示結果は、特別遊技状態よりも遊技者に不利な非特別遊技状態となる非特別表示結果として設定されている。また、可変表示装置４４の近傍には、前述したような普通図柄記憶ＬＥＤ６４に加えて、画像表示部１５２の外周部分を光装飾する飾りＬＥＤ４５（図４に符号のみを記載）と、可変表示装置４４の可変動作中に前記始動球検出器６０によって検出された球数を記憶表示する特別図柄始動記憶表示ＬＥＤ４６（最高４個まで記憶表示する）と、が設けられている。なお、可変表示装置４４は、液晶タイプのものに限らず、ＣＲＴ等により構成されるものであっても良い。
【００２３】
特定遊技状態となったときに駆動制御される特別可変入賞球装置４８は、ソレノイド５０によって開閉駆動される開閉板４９を有し、その開閉板４９に受け入れられた打球を検出する入賞個数検出器５２が設けられている。また、特別可変入賞球装置４８内（開閉板４９の内側）には、打球の検出（Ｖ入賞検出）に伴って特定遊技状態の継続権を成立させる特定球検出器５１が設けられており、該特定球検出器５１の上方には、一旦Ｖ入賞検出があると次に開閉板４９を開放するまでは打球が特定球検出器５１を通過しないようにするＶシャッター５３が設けられている。このＶシャッター５３は、ソレノイド４３（図４に符号のみを記載）によって開閉駆動が行われる。なお、Ｖシャッターの他の例として、例えば、左右に並んだＶ入賞口と通常の入賞口の前面側に掛け渡されるシーソー状の可動部材により構成されるものがある。この可動部材の中心には、支点が設けられると共に、その一端には、ソレノイドが接続され、このソレノイドが駆動することにより、可動部材の両端が支点を中心に上下動するものである。このようなＶシャッターの動作は、ソレノイドがＯＦＦした状態では、可動部材のＶ入賞口側が下降してＶ入賞に遊技球が入賞し得る状態となる。この状態でＶ入賞口に遊技球が入賞すると、ソレノイドがＯＮして可動部材のＶ入賞口側が上昇し、可動部材がＶ入賞口の前面側に位置して遮り、遊技球が入賞し難くなる。一方、可動部材の通常の入賞口側が下降して通常の入賞口へ遊技球の入賞がし易くなるというものである。
【００２４】
しかして、特定遊技状態となった場合には、一定時間（例えば、２８秒）が経過するまで又はその一定時間内に所定個数（例えば、１０個）の入賞球が入賞するまで開閉板４９を開放（以下、この開放を開放サイクルという）し、その開放サイクル中に受け入れられた打球が特定球検出器５１によって検出されたときに継続権が成立して、再度上記した開放サイクルが実行され、各開放サイクルにおいて継続権が成立していることを条件に所定回数（例えば、最高１６回）の開放サイクルを繰り返すことができるようになっている。
【００２５】
以上説明した本実施形態において、上記したように、打球が入賞する入賞口及び入賞装置には、入賞球を検出するための信号が導出される入賞球検出器５１，５２が設けられている。これは、これらの検出信号に基づいて所定個数の賞球を払い出すために使用されるものである。しかして、これらの入賞球検出器５１，５２は、図３に示すように、遊技を統括的に制御する主基板１５１に接続されている。
【００２６】
遊技盤４０の遊技領域４１には、上記したようにスイッチやソレノイド、あるいは飾りランプや飾りＬＥＤ等の電気的部品が多数設けられるが、これらは、主基板１５１や電飾制御基板８０に接続されるようになっている。即ち、図３に示すように、遊技盤４０に設けられる各スイッチ５１，５２，６１ｂ及び各ソレノイド４３，５０，５９は、主基板１５１に接続され、遊技盤４０に設けられる飾りランプ５６，６７ａ（共に図４に遊技効果ランプとして符号のみを記載）、遊技盤４０に設けられる飾りＬＥＤ４５（図４に遊技効果ＬＥＤとして記載）、特別図柄始動記憶ＬＥＤ４６、普通図柄始動記憶ＬＥＤ６４は、電飾制御基板８０に接続されている。
【００２７】
一方、遊技盤４０の裏面には、図２に示すように、前記可変表示装置４４の裏面が突出して設けられている。この可変表示装置４４の裏面部分には、識別情報の可変表示を含む演出制御を実行する表示制御基板７５が表示制御基板カバー７４に被覆されて取り付けられている。表示制御基板７５は、可変表示装置４４の可変表示動作を主基板１５１からの情報信号の種類に応じて駆動制御するものである。
【００２８】
また、上記した可変表示装置４４裏面の周囲には、カバー体７０が取り付けられ、このカバー体７０に連通するようにその下部に入賞球誘導カバー体７１が取り付けられている。カバー体７０には、その中央に前記可変表示装置４４が挿入される窓孔７２が形成されると共に、情報端子基板７８が取り付けられている。なお、カバー体７０は、窓孔７２の外周部分に穿設された取付穴（図示しない）が遊技盤４０の裏面にビス止めされることで取り付けられる。情報端子基板７８は、弾球遊技機１の営業管理上必要な遊技情報（例えば、特定遊技状態中である旨を報知する大当り１情報、特別表示結果で特定遊技状態となり、その特定遊技状態中及びその大当りによる確率変動中である旨を報知する大当り２情報（特定遊技状態中と確率変動中に出力され続ける信号）、特別表示結果による特定遊技状態終了後の確率変動中である旨を報知する確率変動情報、始動球検出器をＯＮした打球の数を報知する始動口情報、可変表示装置４４の可変動作回数を報知する図柄確定回数１情報、普通可変表示装置の可変動作回数を報知する図柄確定回数２情報、及び普通可変入賞球装置５８の開閉回数を報知する役物回数情報）を遊技場に設置される管理コンピュータに出力するための外部接続端子を有し、これらの情報が主基板１５１から与えられるようになっている。
【００２９】
また、入賞球誘導カバー体７１の後面側には、電飾制御基板８０及び効果音制御基板８２を収容する制御基板ボックス７９が取り付けられている。電飾制御基板８０は、図２に示すように、遊技盤４０の遊技領域４１（必ずしも遊技領域４１の内部に設けられなくてもよく、遊技盤４０に設けられていれば良い）に設けられる飾りランプや飾りＬＥＤ、及び前面枠３や透明板保持枠４に設けられる飾りランプや飾りＬＥＤ等を主基板１５１からの情報信号に応じて一括して駆動制御するものである。また、効果音制御基板８２は、前記スピーカ１２ａ，１２ｂを駆動制御するものであり、主基板１５１からの情報信号に応じて遊技内容に対応した効果音を発生させるものである。また、効果音制御基板８２には、音量を切り替える音量スイッチ８３（図４に符号のみを記載）が設けられている。
【００３０】
次に、弾球遊技機１の背面に設けられる機構板１００の構成について図２を参照して説明する。図２において、機構板１００は、遊技球を貯留する貯留タンク１０５と該貯留タンク１０５に貯留された賞球を下流側に整列しながら誘導する球整列レール部材１０８と、球整列レール部材１０８からの遊技球を誘導する球通路１１４と、入賞に基づく賞球を払い出す球払出装置１１６と、主として遊技盤４０に打ち込まれた入賞球を含む打球を処理する処理機構と、が機構板１００上に設けられる。貯留タンク１０５の右側方には、外部との信号線が接続される外部接続端子を有する情報端子基板１３２が設けられる。情報端子基板１３２に設けられる外部接続端子１３３からは、外部（例えば、管理コンピュータ）へ貯留タンク１０５にて遊技球が不足している旨の球切れ情報と貸球情報と賞球情報とが出力される。
【００３１】
また、球整列レール部材１０８の下流側には、垂直状に球通路部材が設けられる。具体的には、左右２列の球通路１１４によって球通路部材が構成され、該２列の球通路１１４には、それぞれ球切れスイッチ１１５が通路に臨むように設けられている。この球切れスイッチ１１５は、図３に示すように、主基板１５１に接続され、球切れスイッチ１１５が遊技球を検出しなくなったときには、球払出装置１１６の作動を停止して遊技球の払出を不能動化させるようになっている。球払出装置１１６は、ほぼ直方体形状をなすケースの内部に収納されて機構板１００の前面側に着脱自在に取り付けられるようになっている。
【００３２】
また、機構板１００の下部後面側には、電圧の異なる複数の電源を生成する電源ユニット基板１３７を収容する電源ユニットボックス１３６と、遊技盤４０に設けられる可変表示装置４４や特別可変入賞球装置４８等の遊技装置の動作を制御する主基板１５１を収容する主基板ボックス１５０と、前記球払出装置１１６の動作を制御する払出制御基板１４４を収容する払出制御基板ボックス１４３が設けられる。電源ユニット基板（電源生成基板）１３７は、ＤＣ３０Ｖ、ＤＣ２１Ｖ、ＤＣ１２Ｖ、ＤＣ５Ｖ、ＡＣ２４Ｖの５種類の電圧を生成し、各制御基板に所定の電源を供給する。
【００３３】
以上、弾球遊技機１の構成、遊技盤４０の構成、及び機構板１００の構成について説明してきたが、次に、配線接続される回路構成について、図３を参照して説明する。主基板１５１には、遊技盤４０に設けられる各球検出器（スイッチ）５１，５２，６１ｂ及び始動球検出器６０、また、満タンスイッチ１２９及び球切れスイッチ１１５、更に、払い出された賞球を検出する賞球カウントスイッチ１２０からの信号が入力されるものである。
【００３４】
また、主基板１５１は、遊技盤４０に設けられるソレノイド４３，５０，５９を駆動制御すると共に、外部情報端子基板７８へ遊技情報を出力する。また、主基板１５１は、電飾制御基板８０、効果音制御基板８２、表示制御基板７５、払出制御基板１４４と接続され、制御信号を主基板１５１から各制御基板８０，８２，７５，１４４への一方向通信によりそれぞれ出力する。電飾制御基板８０は、主基板１５１から入力される電飾制御信号に応じて、各種ランプ６〜１０，１５，１６，５６，６７ａ及び各種ＬＥＤ３７，３８，４５を表示駆動制御し、効果音制御基板８２は、主基板１５１から入力される効果音制御信号に応じてスピーカ１２ａ，１２ｂを駆動制御する。また、表示制御基板７５は、主基板１５１から入力される表示制御信号に応じて可変表示装置４４、普通図柄表示器６３の表示結果を導出するように制御する。払出制御基板１４４は、主基板１５１から入力される払出制御信号に応じて球払出装置１１６を駆動制御すると共に、発射制御基板９０へ発射制御信号を出力する。また、払出制御基板１４４は、カードユニット装置３１、残高表示基板２３と接続され、貸球払出の制御を行う。発射制御基板９０は、払出制御基板１４４からの発射制御信号に応じて打球発射装置８７の制御を行う。また、外部情報出力基板１３２は、主基板１５１、払出制御基板１４４と接続され、外部へ遊技情報を出力する。
【００３５】
次に、本実施形態の要部を構成する、球払出装置から排出される遊技球を払い出す球払出口１６０及びこの球払出口１６０と連通する球連通口２０について図４を参照して説明する。図４は、外枠２から前面枠３及び機構盤１００を開放し、前面枠３から透明板保持枠４を開放した状態を示す弾球遊技機１の斜視図である。
【００３６】
上記したように、図４に示すよう、弾球遊技機１は、弾球遊技機１の外周を構成する外枠２と、この外枠２の一側に開閉自在に支持され且つ遊技盤４０が装着される前面枠３と、遊技盤４０の遊技領域４１に向けて遊技球を発射する打球発射装置８７（図１参照）と、入賞球の発生に基づいて所定個数の賞球を払い出すための球払出装置１１６を備えた機構板１００と、球払出装置１１６から払い出された賞球を受け入れて打球発射装置８７へ供給する打球供給皿１９と、を備えている。
【００３７】
機構板１００の左右一方側（弾球遊技機１の正面視で右側方）には、球払出装置１１６から排出される遊技球を払い出すための球払出口１６０が形成されている。球払出口１６０は、ほぼ箱型形状で遊技者側に向けて先端が突出して形成されるものであり、球払出装置１１６から払い出された賞球が通るための球通路１６１が球払出装置１１６に挿通して穿設されている。また、図４の断面図に示すように、球払出口１６０の突出部分は、その下面が先端から根元に向けて下り傾斜面１６３として形成されると共に、その一方側方向（弾球遊技機１の正面視で右側方）の外面が先端から根元に向けて下り傾斜面１６２として形成されている。
【００３８】
また、機構板１００は、左右一方側に対する他方側（弾球遊技機１の正面視で左側方）を支点として前面枠４に対して開閉自在に軸支されている。また、弾球遊技機１の正面視で前面枠４の他方側（弾球遊技機１の正面視で左側方）には、打球発射装置８７が（図１参照）、一方側（弾球遊技機１の正面視で右側方）には、球払出口１６０と連通する球連通口２０が設けられている。この球連通口２０の内面下部は、機構板１００を前面枠４に対して閉塞した際に、球払出口１６０の下面（下り傾斜面１６３）が当接する下り傾斜面１６４として形成されている。
【００３９】
また、前述した球払出口１６０の先端は、機構板１００を前面枠４に対して閉塞した際に球連通口２０に入り込むように、球連通口２０よりも小さく形成されている。
【００４０】
上記のように、球払出口１６０の先端が球連通口２０よりも小さく形成されているため、機構板１００が左側方を支軸に開閉し、前面枠４の球連通口２０及び機構板１００の球払出口１６０が右側方に位置している弾球遊技機１であっても、機構板１００を前面枠４に対して閉塞しようとした際に、球払出口１６０の先端が球連通口２０に入り込むことにより、球払出口１６０と球連通口２０とがずれることなく機構板１００と前面枠４との位置が合うため、機構板１００を確実に閉塞することができる。
【００４１】
以上、実施形態にかかる弾球遊技機１について詳細に説明してきたが、本実施形態においては、外枠２、外枠２の一側に開閉自在に支持され且つ遊技盤が装着される前面枠４と、前記４０の遊技領域４１に向けて遊技球を発射する８７と、入賞球の発生に基づいて所定個数の賞球を払い出すための球払出装置１１６を備えた機構板１００と、前記球払出装置１１６から払い出された賞球を受け入れて前記打球発射装置８７へ供給する打球供給皿１９と、を備えた弾球遊技機１において、前記機構板１００の左右一方側に球払出装置１１６から排出される遊技球を払い出す球払出口１６０を設け、前記機構板１００は、左右一方側に対する他方側を支点として前記前面枠４に対し開閉自在に軸支され、前記弾球遊技機１の正面視で前記前面枠４の前記他方側に前記打球発射装置８７を、前記一方側に前記球払出口１６０と連通する球連通口２０を設け、前記打球供給皿１９は、前記球連通口２０から排出される遊技球を受け入れると共に前記打球発射装置８７側に向けて下り傾斜して形成され、前記機構板１００を閉塞した際に前記球払出口１６０の先端が前記球連通口２０に入り込むように前記球払出口１６０の先端を前記球連通口２０よりも小さく形成したことにより、機構板１００が左側方を支軸に開閉し、前面枠４の球連通口２０及び機構板１００の球払出口１６０が右側方に位置している弾球遊技機１であっても、機構板１００を前面枠４に対して閉塞しようとした際に、球払出口１６０の先端が球連通口２０に入り込むことにより、球払出口１６０と球連通口２０とがずれることなく機構板１００と前面枠４との位置が合うため、機構板１００を確実に閉塞することができる。従って、機構板１００が左側方を支軸として開閉する弾球遊技機１において、弾球遊技機１の左側方に打球発射装置８７が備えることにより、機構板１００の支軸と球払出口１６０及び球連通口２０とが離れてしまうような構造のものであっても、機構板１００を前面枠４に対して確実に閉塞することができる。
【００４２】
また、本実施形態においては、前記機構板１００を前記前面枠４に対して閉塞した際、前記球払出口１６０の下面が当接する前記球連通口２０の内面下部は、前記球払出口１６０に向けて下り傾斜面１６４が形成されていることにより、機構板１００を前面枠４に対して閉塞しようとした際に、球払出口１６０の先端が球連通口２０に入り込み易くなり、球払出口１６０と球連通口２０とがずれることなく機構板１００と前面枠４との位置が合うため、機構板１００を確実に閉塞することができる。
【００４３】
また、本実施形態においては、前記球払出口１６０は、先端が突出して形成されると共に、突出部分の下面が先端から根元に向けて下り傾斜面１６３が形成されていることにより、機構板１００を前面枠４に対して閉塞しようとした際に、球払出口１６０の先端が球連通口２０に入り込み易くなり、球払出口１６０と球連通口２０とがずれることなく機構板１００と前面枠４との位置が合うため、機構板１００を確実に閉塞することができる。
【００４４】
更に、本実施形態においては、前記球払出口１６０は、先端が突出して形成されると共に、突出部分の前記一方側方向の外面が先端から根元に向けて下り傾斜面１６２が形成されていることにより、機構板１００を前面枠４に対して閉塞しようとした際に、球払出口１６０の先端が球連通口２０に入り込み易くなり、球払出口１６０と球連通口２０とが左右方向においてもずれることなく機構板１００と前面枠４との位置が合うため、機構板１００を確実に閉塞することができる。
【００４５】
なお、上記した実施形態においては、機構板１００は、前面枠４に対して左側方を支軸として開閉するものを示したが、このようなものに限らず、機構板１００が前面枠４に対して右側方を支軸として開閉するものであってもよい。
【００４６】
【発明の効果】
以上、説明したところから明らかなように、請求項１の発明においては、機構板が左側方を支軸に開閉し、前面枠の球連通口及び機構板の球払出口が右側方に位置している遊技機であっても、機構板を前面枠に対して閉塞しようとした際に、球払出口の先端が球連通口に入り込むことにより、球払出口と球連通口とがずれることなく機構板と前面枠との位置が合うため、機構板を確実に閉塞することができる。従って、機構板が支軸によって開閉する遊技機において、機構板の支軸側に打球発射装置が備えられ、支軸と他方側に球連通口と球払出口が備えられ、機構板の支軸に対して、機構板に備えられた球払出口と前面枠に形成された球連通口とが離れてしまうような構造のものであっても、機構板を前面枠に対して確実に閉塞することができる。
【００４７】
また、請求項２の発明においては、機構板を前面枠に対して閉塞しようとした際に、球払出口の先端が球連通口に入り込み易くなり、機構板に備えられた球払出口と前面枠に形成された球連通口とがずれることなく機構板と前面枠との位置が合うため、機構板を確実に閉塞することができる。
【００４８】
また、請求項３の発明においては、機構板を前面枠に対して閉塞しようとした際に、球払出口の先端が球連通口に入り込み易くなり、機構板に備えられた球払出口と前面枠に形成された球連通口とがずれることなく機構板と前面枠との位置が合うため、機構板を確実に閉塞することができる。
【００４９】
更に、請求項４の発明においては、機構板を前面枠に対して閉塞しようとした際に、球払出口の先端が球連通口に入り込み易くなり、機構板に備えられた球払出口と前面枠に形成された球連通口とが左右方向においてもずれることなく機構板と前面枠との位置が合うため、機構板を確実に閉塞することができる。
【図面の簡単な説明】
【図１】本発明の一実施形態における弾球遊技機を示す正面図である。
【図２】弾球遊技機の裏面に設けられる各基板を示す説明図である。
【図３】主基板と各種制御基板及び電気部品との関係を示すブロック図である。
【図４】外枠から前面枠及び機構盤を開放し、前面枠から透明板保持枠を開放した状態を示す弾球遊技機の斜視図である。
【符号の説明】
１  弾球遊技機（遊技機）
２  外枠
３  前面枠
１９  打球供給皿
２０  球連通口
４０  遊技盤
４１  遊技領域
８７  打球発射装置
１００  機構板
１１６  球払出装置
１６０  球払出口
１６２  下り傾斜面
１６３  下り傾斜面
１６４  下り傾斜面
【図１】
2004254722.tif 000003
【図２】
2004254722.tif 000004
【図３】
2004254722.tif 000005
【図４】
2004254722.tif 000006